(57)【要約】【課題】本発明は、受信された放送データから、所定の個人に係る情報を容易に取得することを可能にする放送データ受信装置を提供することを目的とする。【解決手段】アドレス帳１２０が、個人を識別する個人識別情報を保持し、ＢＭＬ文書抽出部１５０が、放送データから、ＢＭＬで記述されたＢＭＬ文書を抽出する。又、個人情報検索部１６０が、ＢＭＬ文書からアドレス帳１２０によって保持される個人識別情報と一致する情報である一致個人識別情報を取得する。【選択図】      図１
2006279880.tif 000002
【特許請求の範囲】
【請求項１】
放送波を介して送信される放送データを受信する放送データ受信装置であって、
個人を識別する個人識別情報を保持する個人情報保持部と、
前記放送データを受信する受信部と、
受信部によって受信された前記放送データから、マークアップ言語で記述されたマークアップ記述情報を抽出するマークアップ記述情報抽出部と、
前記マークアップ記述情報抽出部によって抽出された前記マークアップ記述情報から、前記個人情報保持部によって保持される前記個人識別情報と一致する情報である一致個人識別情報を取得する一致個人識別情報取得部とを備えることを特徴とする放送データ受信装置。
【請求項２】
前記個人情報保持部おいて、前記個人識別情報と、前記個人識別情報によって識別される前記個人の居住地域を特定する居住地域特定情報とが関連づけられており、
前記居住地域特定情報に基づいて、前記居住地域を特定する居住地域特定部と、
前記受信部によって受信された前記放送データから、放送対象地域を示す放送対象地域情報を抽出する地域情報抽出部と、
前記居住地域特定部によって特定された前記居住地域と、前記地域情報抽出部によって抽出された前記放送対象地域情報によって示される前記放送対象地域とが重複するか否かを判断する地域重複判断部とを更に備え、
前記一致個人識別情報取得部は、前記地域重複判断部によって、前記居住地域と前記放送対象地域とが重複すると判断された場合に、前記居住地域特定情報と関連づけられている前記個人識別情報に係る前記一致個人識別情報を取得することを特徴とする請求項１に記載の放送データ受信装置。
【請求項３】
前記放送データ受信装置は通信端末であって、
前記個人情報保持部は、前記通信端末によって通信先を特定する際に参照されるアドレス帳であることを特徴とする請求項１又は２に記載の放送データ受信装置。
【請求項４】
前記個人情報保持部において、前記個人識別情報と、前記個人識別情報によって識別される個人の連絡先を示す連絡先情報とが関連づけられており、
前記一致個人識別情報取得部によって取得された前記一致個人識別情報に、前記一致個人識別情報に関連づけられている前記連絡先情報を付加して表示する表示部とを備えることを特徴とする請求項１乃至３のいずれか１項に記載の放送データ受信装置。
【請求項５】
前記放送データに関連づけられる番組特定情報を保持する番組特定情報保持部を更に備え、
前記一致個人識別情報取得部は、前記番組特定情報保持部によって保持されている番組特定情報と関連づけられていると判断された放送データから前記一致個人識別情報を取得することを特徴とする請求項１乃至４のいずれか１項に記載の放送データ受信装置。
【発明の詳細な説明】
【技術分野】
【０００１】
本発明は、放送データを受信する放送データ受信装置に関する。
【背景技術】
【０００２】
従来、デジタル放送では、映像や音声だけでなくデータも送信されている。地震等の災害時には、放送波を介して送受信されるデータである放送データに、安否情報が含まれる場合がある。安否情報には、一般的に、安否が確認された、又は確認されていない人の名前や連絡先等が含まれる。放送データを受信する機能を備える放送データ受信装置のユーザは、受信される安否情報に基づいて、家族や知人の安否を知ることができる。但し、安否情報のデータ量が多い場合には、ユーザが、取得した安否情報から、自分の家族や知人に関する情報を探すことは困難である。
【０００３】
このため、放送データ受信装置のユーザの家族や知人の個人情報が予め記憶された放送データ送信装置が、記憶されている個人情報のみを含む安否情報を生成して放送データ受信装置に送信する技術が提案されている（例えば、特許文献１参照。）。これによれば、ユーザは自分の家族や知人の安否情報のみを取得することができるため、容易に家族や知人の安否を知ることができる。
【特許文献１】特開２００３−３４８０３４号公報
【発明の開示】
【発明が解決しようとする課題】
【０００４】
しかしながら、上記従来技術においては、予め、放送データ送信装置にユーザの家族や知人の個人情報を登録しなければならない。又、災害時には、通信回線が混雑する場合もあるため、放送データ受信装置のユーザが、災害発生後に放送データ送信装置に個人情報を登録することは困難である。
【０００５】
このため、放送データ送信装置が、必要とされる個人情報のみを含む安否情報を生成するのでなく、放送データ受信装置が、受信された放送データから、必要とされる個人情報を含む安否情報を検索することが望まれる。
【０００６】
そこで、本発明は以上の点に鑑みてなされたもので、受信された放送データから、所定の個人に係る情報を容易に取得することを可能にする放送データ受信装置を提供することを目的とする。
【課題を解決するための手段】
【０００７】
本発明の第１の特徴は、放送波を介して送信される放送データを受信する放送データ受信装置であって、個人を識別する個人識別情報を保持する個人情報保持部と、前記放送データを受信する受信部と、受信部によって受信された前記放送データから、マークアップ言語で記述されたマークアップ記述情報を抽出するマークアップ記述情報抽出部と、前記マークアップ記述情報抽出部によって抽出された前記マークアップ記述情報から、前記個人情報保持部によって保持される前記個人識別情報と一致する情報である一致個人識別情報を取得する一致個人識別情報取得部とを備えることを要旨とする。
【０００８】
第１の特徴に係る放送データ受信装置によると、個人情報保持部が、個人を識別する個人識別情報を保持し、マークアップ記述情報抽出部が、放送データから、マークアップ言語で記述されたマークアップ記述情報を抽出する。又、一致個人識別情報取得部が、マークアップ記述情報から、個人情報保持部によって保持される個人識別情報と一致する情報である一致個人識別情報を取得する。
【０００９】
このため、放送データ受信装置が、受信された放送データから所定の個人に係る情報を容易に取得することが可能となる。従って、放送データ受信装置のユーザは自分の家族や知人に係る情報を容易に知ることができる。
【００１０】
第１の特徴に係る前記個人情報保持部おいて、前記個人識別情報と、前記個人識別情報によって識別される前記個人の居住地域を特定する居住地域特定情報とが関連づけられており、前記居住地域特定情報に基づいて、前記居住地域を特定する居住地域特定部と、前記受信部によって受信された前記放送データから、放送対象地域を示す放送対象地域情報を抽出する地域情報抽出部と、前記居住地域特定部によって特定された前記居住地域と、前記地域情報抽出部によって抽出された前記放送対象地域情報によって示される前記放送対象地域とが重複するか否かを判断する地域重複判断部とを更に備え、前記一致個人識別情報取得部は、前記地域重複判断部によって、前記居住地域と前記放送対象地域とが重複すると判断された場合に、前記居住地域特定情報と関連づけられている前記個人識別情報に係る前記一致個人識別情報を取得するように構成されていてもよい。
【００１１】
第１の特徴に係る前記放送データ受信装置は通信端末であって、前記個人情報保持部は、前記通信端末によって通信先を特定する際に参照されるアドレス帳であるように構成されていてもよい。
【００１２】
第１の特徴に係る前記個人情報保持部において、前記個人識別情報と、前記個人識別情報によって識別される個人の連絡先を示す連絡先情報とが関連づけられており、前記一致個人識別情報取得部によって取得された前記一致個人識別情報に、前記一致個人識別情報に関連づけられている前記連絡先情報を付加して表示する表示部とを備えるように構成されていてもよい。
【００１３】
第１の特徴に係る放送データ受信装置は、前記放送データに関連づけられる番組特定情報を保持する番組特定情報保持部を更に備え、前記一致個人識別情報取得部は、前記番組特定情報保持部によって保持されている番組特定情報と関連づけられていると判断された放送データから前記一致個人識別情報を取得するように構成されていてもよい。
【発明の効果】
【００１４】
本発明によると、受信された放送データから、所定の個人に係る情報を容易に取得することを可能にする放送データ受信装置を提供することができる。
【発明を実施するための最良の形態】
【００１５】
次に、図面を参照して、本発明の実施の形態を説明する。以下の図面の記載において、同一又は類似の部分には、同一又は類似の符号を付している。ただし、図面は模式的なものであることに留意すべきである。
【００１６】
（携帯電話）
図１は、本実施の形態に係る携帯電話１００の構成図を示す。携帯電話１００は、携帯電話網を介して他の装置と通信する機能の他に、放送波を介して送信される放送データを受信する機能を備える。携帯電話１００は、通信端末の一つであり、放送波を介して送信される放送データを受信する放送データ受信装置である。又、携帯電話１００は、受信された放送データから所定の個人、例えば携帯電話１００のユーザの家族や知人に係る情報を取得する機能を備える。
【００１７】
図１に示されるように、携帯電話１００には、制御部１１０と、アドレス帳１２０と、番組特定情報保持部１２５と、通信部１３０と、放送データ受信部１３５と、番組検索部１４０と、居住地域特定部１４２と、地域情報抽出部１４５と、地域重複判断部１４７と、ＢＭＬ文書抽出部１５０と、個人情報検索部１６０と、表示情報抽出部１８０と、表示部１９０と、入力部１９５とが備えられる。
【００１８】
制御部１１０は、他の構成要素に対して制御を行い、携帯電話１００全体の動作を司る。
【００１９】
アドレス帳１２０は、個人を識別する個人識別情報を保持する個人情報保持部である。又、本実施の形態における個人情報は、携帯電話１００によって通信先を特定する際に用いられるアドレス帳である。尚、通信先を特定する際とは、例えば、発信しようとする電話の発信先、着信した電話の発信元、送信するメールの送信先、受信したメールの受信元を特定する際である。
【００２０】
図２に示されるように、アドレス帳１２０は、複数の個人に係る個人情報を保持する。本実施の形態においては、個人情報には、氏名と、フリガナと、電話番号と、メールアドレスと、グループと、住所とが含まれる。
【００２１】
図２に示されるＩＤは、アドレス帳において、個人情報を識別する識別情報である。氏名及びフリガナは、個人を識別する個人識別情報である。電話番号及びメールアドレスは、アドレス帳１２０において、個人を識別する氏名やフリガナと関連づけられており、氏名やフリガナによって識別される個人の連絡先を示す連絡先情報である。又、電話番号は、アドレス帳１２０において、氏名やフリガナと関連づけられ、氏名やフリガナによって識別される個人の居住地域を特定する居住地域特定情報であり得る。グループは、携帯電話１００のユーザによって、個人情報に付加される情報である。住所は、アドレス帳１２０において、氏名やフリガナと関連づけられ、氏名やフリガナによって識別される個人の居住地域を特定する居住地域特定情報である。
【００２２】
番組特定情報保持部１２５は、放送データに関連づけられる番組特定情報を保持する。尚、番組特定情報保持部１２５によって保持される番組特定情報は、個人識別情報が検索される検索対象となる番組を特定する番組特定情報である。
【００２３】
番組特定情報として、例えばデジタル放送において番組（イベント）を識別するために用いられるevent_idが用いられる。event_idはＴＳデータから取得され、所定の時間に送信される放送データの間でユニークである。
【００２４】
尚、event_idは、ＴＳデータによって送信されるセクションの一種であるＥＩＴ（Event Information Table）に含まれるＥＰＧ（Electric Program Guide）に含まれる。従って、例えば、番組特定情報保持部１２５は、放送データ受信部１３５によって受信された放送データから、制御部１１０によって抽出されたevent_idを保持してもよい。又、ＥＰＧは、インターネットを介して取得することもできる。従って、例えば、又、番組特定情報保持部１２５は、通信部１３０によって、携帯電話網及びインターネットを介して取得されたＥＰＧから、制御部１１０によって抽出されたevent_idを保持してもよい。
【００２５】
又、制御部１１０がevent_idを抽出する処理は、後述する入力部１９５を介して入力されるユーザからの指示に基づいて行われてもよい。更に、ユーザからの指示は、放送データが送信されている最中に行われてもよいし、事前に行われてもよい。
【００２６】
通信部１３０は、携帯電話網を介して他の装置と通信を行う。即ち、通信部１３０は、電話の発着信処理や、メールの送受信処理を行う。
【００２７】
放送データ受信部１３５は、放送データを受信する受信部である。又、放送データ受信部１３５は、受信された放送データを復調してＴＳ（Ｔｒａｎｓｐｏｒｔ  Ｓｔｒｅａｍ）データに変換する機能も備える。具体的には、放送データ受信部１３５は、復調器内蔵チューナや、チューナ及び復調器によって実現される。
【００２８】
番組検索部１４０は、放送データ受信部１３５によって取得されたＴＳデータから、番組特定情報保持部１２５によって保持されている番組特定情報と関連づけられている放送データを取得する。
【００２９】
例えば、番組検索部１４０は、現在放送されている番組の情報を得るため、放送データよりＥＩＴを取得し、又、ＥＩＴに含まれるevent_idを取得する。尚、ＥＩＴは複数送信されているが、セクションナンバーが０であるＥＩＴが現在の番組の情報を示す。番組検索部１４０は、取得したevent_idが、番組特定情報保持部１２５によって保持されるevent_idと同一である場合には、検索対象の番組であると判断する。番組検索部１４０は、event_idと関連づけられている放送データを取得する。
【００３０】
更に、番組検索部１４０は、ＴＳデータから、後述する地域情報抽出部１４５によって用いられるＮＩＴ（Network Information Table）も取得してもよい。
【００３１】
居住地域特定部１４２は、アドレス帳１２０によって保持される個人情報に含まれる住所や電話番号から、個人情報に係る個人の居住地域を特定する。居住地域特定部１４２は、特定された居住地域を示す居住地域情報と、その居住地域に係る個人情報を識別するＩＤとを関連づけて、後述する地域重複判断部１４７に入力する。
【００３２】
例えば、居住地域特定部１４２は、アドレス帳１２０によって保持される住所から県名を抽出することによって居住地域を特定したり、固定電話の電話番号の市外局番から居住地域を特定したりする。例えば、図２に示されるアドレス帳１２０において、「三洋太郎」及び「三洋次郎」の居住地域は、住所に基づいて「岐阜県」と特定される。居住地域特定部１４２は、「三洋太郎」のＩＤである「１」と「岐阜県」とを関連づけて地域重複判断部１４７に入力する。又、居住地域特定部１４２は、「三洋次郎」のＩＤである「３」と「岐阜県」とを関連づけて地域重複判断部１４７に入力する。或いは、「三洋花子」の居住地域は、電話番号に基づいて「東京都」と特定される。居住地域特定部１４２は、「三洋花子」のＩＤである「２」と「東京都」とを関連づけて地域重複判断部１４７に入力する。
【００３３】
尚、図２にＩＤ「４」及び「５」で識別される個人情報は、電話番号として携帯電話の番号のみを含み、又、住所が入力されていないため、居住地域特定部１４２は、「三洋三郎」と「三洋五郎」の居住地域を特定することができない。本実施の形態においては、居住地域特定部１４２は、居住地域が特定できなかった個人に係る情報は地域重複判断部１４７に入力しない。
【００３４】
地域情報抽出部１４５は、放送データ受信部１３５によって受信された放送データから、放送対象地域を示す放送対象地域情報を抽出する。
【００３５】
本実施の形態においては、地域情報抽出部１４５は、放送データ受信部１３５によって受信された放送データの内、番組検索部１４０によって取得された放送データから放送対象地域情報を抽出する。
【００３６】
例えば、地域情報抽出部１４５は、番組検索部１４０から、番組検索部１４０によって取得された放送データと、ＮＩＴとを取得する。地域情報抽出部１４５は、ＮＩＴに含まれるnetwork_idを取得する。network_idは、放送データを送信する放送局を識別する情報である。network_idは、例えば「中京広域」、「岐阜県域」等の放送対象地域を示す情報である放送対象地域情報を含む。地域情報抽出部１４５は、network_idに含まれる放送対象地域情報を取得する。
【００３７】
地域重複判断部１４７は、居住地域特定部１４２によって特定された居住地域と、地域情報抽出部１４５によって抽出された放送対象地域情報によって示される放送対象地域とが重複するか否かを判断する。
【００３８】
具体的には、地域重複判断部１４７は、居住地域特定部１４２から、特定された居住地域を示す居住地域情報と、居住地域情報に関連づけられたＩＤとを取得し、地域情報抽出部１４５から、抽出された放送対象地域情報と、放送データとを取得する。
【００３９】
地域重複判断部１４７は、取得された居住地域情報によって示される居住地域と、放送対象地域情報によって示される放送対象地域とを比較し、重複するものがある場合には、その居住地域情報を含む個人情報を識別するＩＤと、放送データとをＢＭＬ文書抽出部１５０に入力する。
【００４０】
例えば、放送対象地域が岐阜県域であると特定された場合には、先に例示された「三洋太郎」と「三洋次郎」の居住地域と、放送対象地域とが重複すると判断される。一方、「三洋花子」の居住地域と放送対象地域とは重複しないと判断される。従って、地域重複判断部１４７は、「三洋太郎」に係るＩＤ「１」と、「三洋次郎」に係るＩＤ「３」と、放送データとをＢＭＬ文書抽出部１５０に入力する。
【００４１】
ＢＭＬ文書抽出部１５０は、放送データ受信部１３５によって受信された放送データから、マークアップ言語で記述されたマークアップ言語記述情報を抽出するマークアップ記述情報抽出部である。尚、本実施の形態におけるマークアップ言語は、ＡＲＩＢ（登録商標）（Association of Radio Industries and Business）で策定されたマルチメディア符号化方式であるＢＭＬ（Broadcast Markup Language）であり、マークアップ言語で記述されたマークアップ言語記述情報はＢＭＬ文書である。
【００４２】
又、本実施の形態においては、ＢＭＬ文書抽出部１５０は、放送データ受信部１３５によって受信された放送データの内、地域重複判断部１４７から入力された放送データからＢＭＬ文書を抽出する。
【００４３】
具体的には、ＢＭＬ文書抽出部１５０は、地域重複判断部１４７から、アドレス帳１２０において個人情報を識別するＩＤと、放送データとを取得する。ＢＭＬ文書抽出部１５０は、取得されたＴＳデータに含まれるＴＳヘッダーの内容を解析し、ＴＳデータに多重化された情報を映像、音声、データ放送記述データ、付加データに分割し、データ放送記述データからＢＭＬ文書を抽出する。
【００４４】
ＢＭＬ文書抽出部１５０は、抽出されたＢＭＬ文書と、地域重複判断部１４７から取得したＩＤとを、後述する個人情報検索部１６０に入力する。
【００４５】
図３にＢＭＬ文書の例を示す。尚、データ放送記述データには、ＢＭＬ文書の他に、ＪＰＥＧ形式の画像ファイル等が含まれる。ＢＭＬ文書抽出部１５０は、例えばＤＥＭＵＸ（デマルチプレクサ）によって実現される。
【００４６】
又、ＢＭＬ文書抽出部１５０によって取得された映像や音声のデータは、図示されないデコーダによりデコードされる。そして映像のデータは後述する表示部１９０によって液晶画面等の表示装置に出力される。又、音声のデータは図示されない音声制御部によって、スピーカー等の音声出力装置に出力される。
【００４７】
個人情報検索部１６０は、ＢＭＬ文書抽出部１５０によって抽出されたＢＭＬ文書から、アドレス帳１２０によって保持される個人識別情報（氏名、フリガナ）と一致する情報である一致個人識別情報を取得する一致個人識別情報取得部である。本実施の形態における個人情報検索部１６０は、地域重複判断部１４７によって居住地域と放送対象地域とが重複すると判断された場合に、居住地域情報と関連づけられている個人識別情報に係る一致個人識別情報を取得する。
【００４８】
具体的には、個人情報検索部１６０は、ＢＭＬ文書抽出部１５０からＢＭＬ文書と、ＩＤとを取得し、取得されたＩＤに係る個人識別情報と一致する情報を検索し、一致個人識別情報として取得する。
【００４９】
尚、ＢＭＬ文書には、表示される文字列が記述された部分と、表示フォーマットが記述された部分と、スクリプトと呼ばれる制御情報が記述された部分等が含まれる。個人情報検索部１６０が、一致個人識別情報を検索する対象は、表示される文字列が記述された部分である。又、ＢＭＬ文書には、表データとして、バイナリデータが含まれる場合には、このバイナリデータも個人情報検索部１６０によって、一致個人識別情報を検索される対象となる。
【００５０】
例えば、個人情報検索部１６０は、図３に示されるＢＭＬ文書から、図２に示されるアドレス帳１２０において、ＢＭＬ文書抽出部１５０から取得されたＩＤ「１」，「３」と関連づけられる氏名又はフリガナと一致する情報を検索する。個人情報検索部１６０は、図３に示されるＢＭＬ文書と、図２に示されるアドレス帳１２０とを参照し、「三洋太郎」及び「三洋次郎」を一致個人識別情報として取得する。
【００５１】
尚、個人情報検索部１６０は、単純に前方から個人識別情報と一致する文字列を検索してもよいし、一般的に用いられている一致文字列検索アルゴリズムを用いて個人識別情報と一致する文字列を検索してもよい。
【００５２】
表示情報抽出部１８０は、個人情報検索部１６０から一致個人識別情報が取得された個人に係る個人情報のＩＤと、一致個人識別情報が特定されたＢＭＬ文書を取得する。表示情報抽出部１８０は、取得されたＢＭＬ情報から、一致個人識別情報を含み、表示装置に表示される表示情報を抽出する。
【００５３】
具体的には、表示情報抽出部１８０は、一致個人識別情報を含むＢＭＬ文書全体を表示するか、ＢＭＬ文書の一部を表示するかを決定し、決定結果に応じて、表示情報を抽出する。表示情報抽出部１８０は、ＢＭＬ文書全体を表示すると決定した場合には、ＢＭＬ文書全体を表示情報として抽出し、ＢＭＬ文書の一部を表示すると決定した場合には、一致個人識別情報の周辺の情報を表示情報として抽出する。
【００５４】
例えば、表示情報抽出部１８０は、ユーザにより予め設定された情報に基づいて、ＢＭＬ文書全体を表示するか、ＢＭＬ文書の一部を表示するかを決定してもよい。或いは、表示情報抽出部１８０は、ＢＭＬ文書のデータサイズが、所定のデータサイズより小さい場合には、ＢＭＬ文書全体を表示することに決定し、所定のデータサイズより大きい場合には、ＢＭＬ文書の一部を表示することに決定してもよい。
【００５５】
又、ＢＭＬ文書の一部とは、例えば、一致個人識別情報を含む段落、行、表等である。尚、ＢＭＬ文書の一部の大きさも、ユーザによって予め設定されてもよい。
【００５６】
更に、表示情報抽出部１８０は、個人情報検索部１６０によって取得された一致個人識別情報に、一致個人識別情報に関連づけられている連絡先情報を付加する。
【００５７】
具体的には、表示情報抽出部１８０は、個人情報検索部１６０から取得したＩＤに基づいて、アドレス帳１２０から一致個人識別情報に関連づけられている住所やメールアドレスを取得する。表示情報抽出部１８０は、抽出された表示情報に含まれる一致個人情報に電話番号やメールアドレスを付加する。
【００５８】
尚、表示情報抽出部１８０は、例えば図３に示されるＢＭＬ文書に含まれる「三洋太郎」の文字列を、図４に示される文字列と置き換えることによって、一致個人情報に電話番号やメールアドレスを付加する。図４（ａ）には、アドレス帳１２０において、「三洋太郎」と関連づけられているメールアドレスが付加されている。図４（ｂ）には、アドレス帳１２０において「三洋太郎」と関連づけられている電話番号が付加されている。
【００５９】
表示情報抽出部１８０は、連絡先情報が付加された表示情報を表示部１９０に入力する。
【００６０】
表示部１９０は、放送データを表示する。
【００６１】
具体的には、表示部１９０は、連絡先情報が付加された表示情報を表示情報抽出部１８０から取得し、取得された表示情報を液晶画面等の表示装置に出力する。
【００６２】
即ち、表示情報抽出部１８０と、表示部１９０とが、個人情報検索部１６０によって取得された一致個人識別情報に、一致個人識別情報に関連づけられている連絡先情報を付加して表示する表示部として機能する。
【００６３】
入力部１９５は、ボタン等の入力装置からの入力を受け付ける。例えば、入力部１９５は、図４に示されるように連絡先情報が付加された表示情報が表示されている際に、「三洋太郎」の文字列がボタンの押下によって指定されたことを検出する。この場合、図４（ａ）に示されるように、連絡先情報としてメールアドレスが付加されている場合には、「aaaa@aa.ne.jp」がメールアドレスとして設定され、メール送信機能が起動される。更に、ユーザがボタンを押下することによりメール送信処理が指示された場合には、メール内容及びメールアドレスが通信部１３０に入力され、メールが通信部１３０を介して送信される。又、図４（ｂ）に示されるように、連絡先情報として電話番号が付加されている場合には、「0584111111」が通信部１３０に入力され、通信部１３０によって電話が発信される。
【００６４】
（一致個人識別情報表示方法）
次に、図５を用いて、携帯電話１００が、一致個人識別情報を含む表示情報を表示する方法を説明する。
【００６５】
ステップＳ１０１において、番組検索部１４０が、ＴＳデータから番組特定情報を取得する。
【００６６】
ステップＳ１０２において、番組検索部１４０が、番組特定情報保持部１２５を参照して、検索対象の番組であるか否かを判断する。
【００６７】
ステップＳ１０３において、地域重複判断部１４７が、居住地域特定部１４２によって特定された居住地域と、地域情報抽出部１４５によって抽出された放送対象地域情報によって示される放送対象地域とが重複するか否かを判断する。
【００６８】
ステップＳ１０３において、重複すると判断された場合には、ステップＳ１０４において、ＢＭＬ文書抽出部１５０が、ＢＭＬ文書を抽出する。
【００６９】
ステップＳ１０５において、個人情報検索部１６０が、ＢＭＬ文書から一致個人識別情報を取得する。
【００７０】
ステップＳ１０５において、一致個人情報を取得できた場合には、ステップＳ１０６において、表示情報抽出部１８０が、ＢＭＬ文書全体を表示するか、ＢＭＬ文書の一部を表示するかを決定する。
【００７１】
ステップＳ１０６において、ＢＭＬ文書全体を表示すると決定された場合には、ステップＳ１０７において、表示情報抽出部１８０が、表示情報としてＢＭＬ文書全体を抽出する。
【００７２】
一方、ステップＳ１０６において、ＢＭＬ文書の一部を表示すると決定された場合には、ステップＳ０８において表示情報抽出部１８０が、表示情報として一致個人識別情報の周辺の情報を抽出する。
【００７３】
ステップＳ１０９において、表示情報抽出部１８０によって、連絡先情報が付加された表示情報が表示部１９０によって表示される。
【００７４】
（効果）
本実施の形態に係る携帯電話１００によると、アドレス帳１２０が、個人を識別する個人識別情報を保持し、ＢＭＬ文書抽出部１５０が、放送データから、ＢＭＬで記述されたＢＭＬ文書を抽出する。又、個人情報検索部１６０が、ＢＭＬ文書からアドレス帳１２０によって保持される個人識別情報と一致する情報である一致個人識別情報を取得する。
【００７５】
このため、携帯電話１００が、受信された放送データから所定の個人に係る情報を容易に取得することが可能となる。従って、携帯電話１００のユーザは自分の家族や知人に係る情報を容易に知ることができる。
【００７６】
又、本実施の形態においては、居住地域特定部１４２が、アドレス帳１２０において個人識別情報と関連づけられる住所や電話番号から個人の居住地域を特定し、地域情報抽出部１４５が、放送データの放送対象地域を示す放送対象地域情報を抽出し、地域重複判断部１４７が、特定された前記居住地域と、抽出された放送対象地域情報によって示される放送対象地域とが重複するか否かを判断する。
【００７７】
そして、個人情報検索部１６０は、地域重複判断部１４７によって重複すると判断された場合にのみ、一致個人識別情報を検索して取得する。従って、アドレス帳１２０によって保持される個人識別情報によって識別される個人と関連する可能性が高い情報のみを取得することが可能となる。
【００７８】
更に、本実施の形態においては、放送データ受信装置として携帯電話１００が用いられ、個人情報保持部として、アドレス帳１２０が用いられている。携帯電話には、メールの送受信や電話の発着信の際に用いられるアドレス帳が備えられていることが一般的である。
【００７９】
このため、携帯電話１００のユーザは、受信された放送データから所定の個人に係る情報を取得するために、ユーザの家族や知人に係る個人情報を入力することなく、所定の個人に係る情報を取得することができる。従って、携帯電話１００のユーザは、更に容易に自分の家族や知人に係る情報を知ることができる。
【００８０】
又、本実施の形態においては、表示情報抽出部１８０が、一致個人識別情報を含む表示情報に、一致個人識別情報の連絡先情報を付加し、表示部１９０が、連絡先情報が付加された表示情報を表示する。
【００８１】
従って、携帯電話１００のユーザに対して、一致個人識別情報によって識別される個人に容易に連絡をとる手段を提供することができる。
【００８２】
更には、番組特定情報保持部１２５が、放送データに関連づけられる番組特定情報を保持し、番組検索部１４０が、番組特定情報保持部１２５によって保持されている番組特定情報と関連づけられていると判断した場合にのみ、個人情報検索部１６０によって一致個人識別情報が取得される。
【００８３】
このため、例えばユーザにより設定された検索対象となる番組に係る放送データのみから一致個人識別情報を取得することが可能となる。従って、処理の効率化を図ることができる。更に、ユーザは必要な情報のみを取得することができる。
【００８４】
（変更例）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００８５】
例えば、本実施の形態においては、放送データ受信装置は携帯電話１００であるとしたが、本発明は、放送データを受信する機能を備える装置に適用でき、例えば、ＰＤＡ（Personal Digital Assistant）であってもよい。
【００８６】
又、個人識別情報は、氏名やフリガナであるとしたが、個人を識別できる情報であればよく、例えば住民基本台帳ネットワークにおける住民票コードであってもよい。
【００８７】
更に、本実施の形態においては、番組検索部１４０によって検索対象番組と判断され、地域重複判断部１４７によって、個人の居住地域と、放送対象地域とが重複すると判断された場合にのみ、一致個人識別情報を取得するが、番組検索部１４０や、地域重複判断部１４７を備えなくてもよい。
【００８８】
更に、個人情報検索部１６０はアドレス帳１２０によって保持される個人識別情報の内、一部の個人識別情報と一致する文字列を検索してもよい。その際検索される一部の個人識別情報は、ユーザによって指定されてもよいし、個人情報に含まれる情報に基づいて絞り込まれた個人情報に含まれる個人識別情報であってもよい。例えば、個人情報検索部１６０は、グループとして「家族」を含む個人情報に含まれる個人識別情報のみを検索対象としてもよい。
【００８９】
又、個人情報検索部１６０は、ＢＭＬ文書抽出部１５０から取得されたＢＭＬ文書から一致個人識別情報を取得するとしているが、個人情報検索部１６０は、ＢＭＬ文書に「安否情報」の文字列が含まれる場合にのみ一致個人識別情報を検索してもよい。
【図面の簡単な説明】
【００９０】
【図１】は、本実施の形態に係る携帯電話の構成図である。
【図２】は、本実施の形態に係るアドレス帳を示す図である。
【図３】は、本実施の形態に係るＢＭＬ文書の一例を示す図である。
【図４】は、本実施の形態において、一致個人識別情報に連絡先情報を関連づける方法を説明する図である。
【図５】は、本実施の形態において、一致個人識別情報を含む表示情報を表示する方法を説明するフロー図である。
【符号の説明】
【００９１】
１００…携帯電話
１１０…制御部
１２０…アドレス帳
１２５…番組特定情報保持部
１３０…通信部
１３５…放送データ受信部
１４０…番組検索部
１４２…居住地域特定部
１４５…地域情報抽出部
１４７…地域重複判断部
１５０…ＢＭＬ文書抽出部
１６０…個人情報検索部
１８０…表示情報抽出部
１９０…表示部
１９５…入力部
【図１】
2006279880.tif 000003
【図２】
2006279880.tif 000004
【図３】
2006279880.tif 000005
【図４】
2006279880.tif 000006
【図５】
2006279880.tif 000007